(57)【特許請求の範囲】
【請求項１】
対象者におけるいびき及び／又は睡眠時無呼吸を治療するための口腔内装置であって、前記対象者により装着および取り外し可能な口腔内装置において、
（１）前方部分、後方部分、右側、左側、頬側、舌側、内面、及び外面を有する上部トレーであって、
（ａ）前記上部トレーの前記内面によって囲まれた受け部と、
（ｂ）上端で、前記上部トレーの前記右側の下面に連結された右側の上部噛み合わせ用パッドであって、前記右側の上部噛み合わせ用パッドは、下面、前面、後面、右側、及び左側を備え、前記右側の上部噛み合わせ用パッドは、前記上部トレーの前記右側の前記後方部分から前方に延在し、前記右側の上部噛み合わせ用パッドの前記下面は、前記右側の上部トレーの前方部分の下面の冠状面よりも低い、右側の上部噛み合わせ用パッドと、
（ｃ）上面、下面、前面、後面、右側、及び左側を備える右側のインサートであって、前記上面は、前記右側の上部噛み合わせ用パッドに対して前方に前記上部トレーの前記右側の下面に面し、及び／又は接触し、前記後面は、前記右側の上部噛み合わせ用パッドの前記前面に可逆的に取り付けられるように構成された右側のインサートと、
（ｄ）上端で、前記上部トレーの前記左側の下面に連結された左側の上部噛み合わせ用パッドであって、前記左側の上部噛み合わせ用パッドは、下面、前面、後面、右側、及び左側を備え、前記左側の上部噛み合わせ用パッドは、前記上部トレーの前記左側の後方部分から前方に延在し、前記左側の上部噛み合わせ用パッドの前記下面は、前記左側の上部トレーの前方部分の下面の冠状面よりも低い、左側の上部噛み合わせ用パッドと、
（ｅ）上面、下面、前面、後面、右側、及び左側を備える左側のインサートであって、前記上面は、前記左側の上部噛み合わせ用パッドに対して前方に前記上部トレーの前記左側の下面に面し、及び／又は接触し、前記後面は、前記左側の上部噛み合わせ用パッドの前記前面に可逆的に取り付けられるように構成された左側のインサートと、
（ｆ）前記上部トレーの右側の前方部分の頬側の外面上にある上部前方右側のアンカーと、前記上部トレーの左側の前方部分の頬側の外面上にある上部前方左側のアンカーと、を備える上部トレーと、
（２）前方部分、後方部分、右側、左側、頬側、舌側、内面、及び外面を有する下部トレーであって、
（ａ）前記下部トレーの前記内面によって囲まれた受け部と、
（ｂ）下端で、前記下部トレーの前記右側の上面に連結された右側の下部噛み合わせ用パッドであって、前記右側の下部噛み合わせ用パッドは、上面、前面、後面、右側、及び左側を備え、前記右側の下部噛み合わせ用パッドは、前記下部トレーの前記右側の前方部分から後方に延在して前記右側の上部噛み合わせ用パッドに対して前方に配置され、前記右側の下部噛み合わせ用パッドの前記上面は、前記右側の下部トレーの後方部分の上面の冠状面よりも高い、右側の下部噛み合わせ用パッドと、
（ｃ）下端で、前記下部トレーの前記左側の上面に連結された左側の下部噛み合わせ用パッドであって、前記左側の下部噛み合わせ用パッドは、上面、前面、後面、右側、及び左側を備え、前記左側の下部噛み合わせ用パッドは、前記下部トレーの前記左側の前方部分から後方に延在して前記左側の上部噛み合わせ用パッドに対して前方に配置され、前記左側の下部噛み合わせ用パッドの前記上面は、前記左側の下部トレーの後方部分の上面の冠状面よりも高い、左側の下部噛み合わせ用パッドと、
（ｄ）前記下部トレーの右側の前方部分の頬側の外面上にある下部前方右側のアンカーと、前記下部トレーの左側の前方部分の頬側の外面上にある下部前方左側のアンカーと、
（ｅ）前記下部トレーの右側の後方部分の頬側の外面上にある下部後方右側のアンカーと、前記下部トレーの左側の後方部分の頬側の外面上にある下部後方左側のアンカーと、を備える下部トレーとを備え、
前記右側のインサートの前記前面は、前記右側の下部噛み合わせ用パッドの前記後面に接触する係合面を備え、前記左側のインサートの前記前面が、前記左側の下部噛み合わせ用パッドの前記後面に接触する係合面を備えることによって、前記上部トレーの前記下部トレーに対する前方への配置が制限され、したがって対象者による前記口腔内装置の使用時にいびき及び／又は無呼吸が緩和され、
前記上部トレーの前記受け部、及び前記下部トレーの前記受け部はそれぞれ、口腔内トレーを受け入れて保持するように構成され、又は前記上部トレーの前記受け部及び前記下部トレーの前記受け部はそれぞれ、対象者による前記口腔内装置の着用時に、対象者の１又はそれ以上の歯を再配置し、及び／又は対象者の上顎及び／又は下顎の構成を変えるように構成され、
前記口腔内装置が、前記上部トレーの前記上部前方左側のアンカーと前記下部トレーの前記下部前方左側のアンカーとを連結する弾性バンド、前記上部トレーの前記上部前方右側のアンカーと前記下部トレーの前記下部前方右側のアンカーとを連結する弾性バンド、前記上部トレーの前記上部前方左側のアンカーと前記下部トレーの前記下部後方左側のアンカーとを連結する弾性バンド、及び前記上部トレーの前記上部前方右側のアンカーと前記下部トレーの前記下部後方右側のアンカーとを連結する弾性バンドを更に備え、
各インサートは、締り嵌めでそれぞれの噛み合わせ用パッドに連結され、
前記右側および左側の上部噛み合わせ用パッドの前面が、凹部を備えるとともに、前記右側および左側のインサートの後面は、前記凹部内に嵌ることによって、前記右側および左側のインサートをそれぞれ前記右側および左側の上部噛み合わせ用パッドに固定するように適合された突出部を備えることを特徴とする口腔内装置。
【請求項２】
対象者におけるいびき及び／又は睡眠時無呼吸を治療するための口腔内装置であって、前記対象者により装着および取り外し可能な口腔内装置において、
（１）前方部分、後方部分、右側、左側、頬側、舌側、内面、及び外面を有する上部トレーであって、
（ａ）前記上部トレーの前記内面によって囲まれた受け部と、
（ｂ）上端で、前記上部トレーの前記右側の下面に連結された右側の上部噛み合わせ用パッドであって、前記右側の上部噛み合わせ用パッドは、下面、前面、後面、右側、及び左側を備え、前記右側の上部噛み合わせ用パッドは、前記上部トレーの前記右側の後方部分から前方に延在し、前記右側の上部噛み合わせ用パッドの前記下面は、前記右側の上部トレーの後方部分の下面の冠状面よりも低い、右側の上部噛み合わせ用パッドと、
（ｃ）上端で、前記上部トレーの前記左側の下面に連結された左側の上部噛み合わせ用パッドであって、前記左側の上部噛み合わせ用パッドは、下面、前面、後面、右側、及び左側を備え、前記左側の上部噛み合わせ用パッドは、前記上部トレーの前記左側の後方部分から前方に延在し、前記左側の上部噛み合わせ用パッドの前記下面は、前記左側の上部トレーの後方部分の下面の冠状面よりも低い、左側の上部噛み合わせ用パッドと、
（ｄ）前記上部トレーの右側の前方部分の頬側の外面上にある上部前方右側のアンカーと、前記上部トレーの左側の前方部分の頬側の外面上にある上部前方左側のアンカーと、を備える上部トレーと、
（２）前方部分、後方部分、右側、左側、頬側、舌側、内面、及び外面を有する下部トレーであって、
（ａ）前記下部トレーの前記内面に囲まれた受け部と、
（ｂ）下端で、前記下部トレーの前記右側の上面に連結された右側の下部噛み合わせ用パッドであって、前記右側の下部噛み合わせ用パッドは、上面、前面、後面、右側、左側を備え、前記右側の下部噛み合わせ用パッドは、前記下部トレーの前記右側の前方部分から後方に延在して前記右側の上部噛み合わせ用パッドに対して前方に配置され、前記右側の下部噛み合わせ用パッドの前記上面は、前記右側の下部トレーの前方部分の上面の冠状面よりも高い、右側の下部噛み合わせ用パッドと、
（ｃ）下面、上面、前面、後面、右側及び左側を備える右側のインサートであって、前記下面は、前記右側の下部噛み合わせ用パッドに対して後方に前記下部トレーの前記右側の上面に面し、及び／又は接触し、前記前面は、前記右側の下部噛み合わせ用パッドの前記後面に可逆的に取り付けられるように構成された右側のインサートと、
（ｄ）下端で、前記下部トレーの前記左側の上面に連結された左側の下部噛み合わせ用パッドであって、前記左側の下部噛み合わせ用パッドは、上面、前方、後面、右側、及び左側を備え、前記左側の下部噛み合わせ用パッドは、前記下部トレーの前記左側の前方部分から後方に延在して前記左側の上部噛み合わせ用パッドに対して前方に配置され、前記左側の下部噛み合わせ用パッドの前記上面は、前記左側の下部トレーの前方部分の上面の冠状面よりも上である、左側の下部噛み合わせ用パッドと、
（ｅ）下面、上面、前面、後面、右側及び左側を備える左側のインサートであって、前記下面は、前記左側の下部噛み合わせ用パッドに対して後方に前記下部トレーの前記左側の上面に面し、及び／又は接触し、前記前面は、前記左側の下部噛み合わせ用パッドの前記後面に可逆的に取り付けられるように構成された左側のインサートと、
（ｆ）前記下部トレーの右側の前方部分の頬側の外面上にある下部前方右側のアンカーと、前記下部トレーの左側の前方部分の頬側の外面上にある下部前方左側のアンカーと、
（ｇ）前記下部トレーの右側の後方部分の頬側の外面上にある下部後方右側のアンカーと、前記下部トレーの左側の後方部分の頬側の外面上にある下部後方左側のアンカーと、を備える下部トレーとを備え、
前記右側のインサートの前記後面は、前記右側の上部噛み合わせ用パッドの前記前面に接触する係合面を備え、前記左側のインサートの前記後面が、前記左側の上部噛み合わせ用パッドの前記前面に接触する係合面を備えることによって、これによって前記上部トレーの前記下部トレーに対する前方への配置が制限され、したがって対象者による前記口腔内装置の使用時にいびき及び／又は無呼吸が緩和され、
前記上部トレーの前記受け部、及び前記下部トレーの前記受け部はそれぞれ、口腔内トレーを受け入れて保持するように構成され、又は前記上部トレーの前記受け部、及び前記下部トレーの前記受け部はそれぞれ、対象者の前記口腔内装置の着用時に、対象者の１またはそれ以上の歯を再配置する、及び／又は対象者の上顎及び／又は下顎の構成を変えるように構成され、
前記口腔内装置が、前記上部トレーの前記上部前方左側のアンカーと前記下部トレーの前記下部前方左側のアンカーとを連結する弾性バンド、前記上部トレーの前記上部前方右側のアンカーと前記下部トレーの前記下部前方右側のアンカーとを連結する弾性バンド、前記上部トレーの前記上部前方左側のアンカーと前記下部トレーの前記下部後方左側のアンカーとを連結する弾性バンド、及び前記上部トレーの前記上部前方右側のアンカーと前記下部トレーの前記下部後方右側のアンカーとを連結する弾性バンドを更に備え、
各インサートは、締り嵌めでそれぞれの噛み合わせ用パッドに連結され、
前記右側および左側の下部噛み合わせ用パッドの後面が、凹部を備えるとともに、前記右側および左側のインサートの前面は、前記凹部内に嵌ることによって、前記右側および左側のインサートをそれぞれ前記右側および左側の下部噛み合わせ用パッドに固定するように適合された突出部を備えることを特徴とする口腔内装置。
【請求項３】
請求項１又は２に記載の口腔内装置において、前記上部トレーおよび下部トレーのアンカーは、ボタン、フック、及びハーブストねじ（Ｈｅｒｂｓｔ  ｓｃｒｅｗ）からなる群から選択されることを特徴とする口腔内装置。
【請求項４】
請求項１又は２に記載の口腔内装置において、前記突出部は、側方且つ後方に延在する面を有するくさびを備え、前記凹部は、くさび形状であって、前記突出部を受け入れて保持するように構成されることを特徴とする口腔内装置。
【請求項５】
請求項１又は２に記載の口腔内装置において、第１の歯科矯正トレーと第２の歯科矯正トレーとを更に備え、これらの歯科矯正トレーは、前記口腔内装置の前記上部トレーまたは下部トレーの受け部内に受け入れられ得ることを特徴とする口腔内装置。
【請求項６】
請求項５に記載の口腔内装置において、前記第１および第２の歯科矯正トレーは、それぞれ、一連の第１の歯科矯正トレーと、一連の第２の歯科矯正トレーとを含み、これらの一連の第１および第２の歯科矯正トレーの各々は対象者の歯の位置、及び／又は前記対象者の顎の形状を変えるために、異なる構成を有することを特徴とする口腔内装置。
【請求項７】
請求項６に記載の口腔内装置において、前記上部トレーの前記受け部は、前記第１の歯科矯正トレーの全てを受け入れるよう形成され、前記下部トレーの前記受け部は、前記第２の歯科矯正トレーの全てを受け入れるよう形成されることを特徴とする口腔内装置。
【請求項８】
請求項１又は２に記載の口腔内装置において、前記上部トレーのアンカーは、歯科矯正用ゴムバンド、伸縮自在シム、及びプラスチックコネクタからなる群から選択されるコネクタを用いて、前記下部トレーのアンカーと機械的に連結されることを特徴とする口腔内装置。
【発明の詳細な説明】
【技術分野】
【０００１】
［関連出願の相互参照］
本出願は、３５Ｕ．Ｓ．Ｃ．§１２０に基づいて２０１４年１２月１６日に出願された「ＡＤＪＵＳＴＡＢＬＥ  ＳＬＥＥＰ  ＡＰＮＥＡ  ＯＲＡＬ  ＡＰＰＬＩＡＮＣＥ（調節可能な睡眠時無呼吸用口腔内装置）」と題する米国特許出願第６２０９２７６１号より、米国特許法第１２０条の下でこの出願に基づく優先権の利益を主張する。上述の出願の開示は、その全体が参照として本明細書に組み込まれる。
【背景技術】
【０００２】
睡眠時無呼吸は、睡眠中の異常な呼吸停止、又は異常に低い呼吸という例を特徴とする疾患である。無呼吸と称される呼吸停止の各々は、数秒から数分続くことがあり（通常、２０〜４０秒続く）、１時間に５〜３０回以上発生することがある。睡眠時無呼吸は、対象者の気道の不完全から完全な塞がりから生じる。気道を通る空気の速度の増加は、動圧の増加と、対応して静圧の減少を引き起こす。場合によっては、静圧の減少により下顎と舌とが引っ込み、そのことにより気道を塞いでしまう。この塞ぎが、完全になるところまで増加してくると、そこで少なくとも一時的に呼吸が中断され得る。
【０００３】
対象者が肥満である、又は糖尿病、高血圧、又は慢性の鼻づまり等の状態を有する場合、対象者は一般的に睡眠時無呼吸の危険性がより高くなる。しかしながら、睡眠時無呼吸をもたらし得る要因は様々である。１つの要因は、対象者における狭い上顎及び／又は下顎の存在である。上顎の狭搾は、鼻腔抵抗が増加して舌の位置が代わり、舌後方の気道の狭窄をもたらす。上顎及び／又は下顎の狭搾は、一般的に口腔内の空気量を低減し、後方の気道空間に舌を押しやる傾向があり、睡眠中に閉塞性睡眠時無呼吸をもたらす。
【０００４】
歯科矯正は歯科医学の分野で、例えば対象者の歯の「過密」を起因とする美的又は他の理由による対象者の歯及び顎の再配置に焦点をあてたものである。歯科矯正の方法では、結果を達成すべく、通常、対象者は歯科用装置を一定期間継続的に使用することが必要である。そのような装置を使用すると、睡眠時無呼吸を治療するための現在入手可能な口腔内装置との同時使用ができない。従って、睡眠時無呼吸を持つ歯科矯正装置の使用者において睡眠時無呼吸を治療するための改良型装置及び方法の必要性が残っている。
【発明の概要】
【０００５】
本発明の口腔内装置は、上部トレー及び下部トレーを備え、それぞれが対象者におけるいびき及び／又は睡眠時無呼吸を治療し、対象者の歯科矯正の治療を成し遂げるよう構成される。一の実施形態において、上部トレーは以下（ａ）〜（ｆ）を備える。
（ａ）上部トレーの内面によって囲まれた受け部
（ｂ）上端で、上部トレーの右側の下面に連結された右側の上部噛み合わせ用パッドであって、噛み合わせ用パッドは、下面、前面、後面、右側、及び左側を備え、噛み合わせ用パッドは、上部トレーの右側の後方部分から前方に延在し、噛み合わせ用パッドの下面は、右側の上部トレーの前方部分の下部の冠状面よりも低い、右側の上部噛み合わせ用パッド
（ｃ）上面、下面、前面、後面、右側、及び左側を備える右側のインサートであって、上面は、右側の上部噛み合わせ用パッドに対して前方に上部トレーの右側の下面に面し、及び／又は接触し、後面は、右側の上部噛み合わせ用パッドの前面に可逆的に取り付けられるように構成された右側のインサート
（ｄ）上端で、上部トレーの左側の下面に連結された左側の上部噛み合わせ用パッドであって、噛み合わせ用パッドは、下面、前面、後面、右側、及び左側を備え、噛み合わせ用パッドは、上部トレーの左側の後方部分から前方に延在し、噛み合わせ用パッドの下面は、左側の上部トレーの前方部分の下部の冠状面よりも低い、左側の上部噛み合わせ用パッド
（ｅ）上面、下面、前面、後面、右側、及び左側を備える左側のインサートであって、上面は、左側の上部噛み合わせ用パッドに対して前方に上部トレーの左側の下面に面し、及び／又は接触し、後面は、左側の上部噛み合わせ用パッドの前面に可逆的に取り付けられるように構成された左側のインサート
（ｆ）上部トレーの右側の前方部分の外側の頬側面上の頬側に面する前方右側のアンカーと、上部トレーの左側の前方部分の外側の頬側面上の頬側に面する前方左側のアンカー
【０００６】
本実施形態において、下部トレーは以下（ａ）〜（ｅ）を備える。
（ａ）上部トレーの内面によって囲まれた受け部
（ｂ）下端で、下部トレーの右側の上面に連結された右側の下部噛み合わせ用パッドであって、噛み合わせ用パッドは、上面、前面、後面、右側、及び左側を備え、噛み合わせ用パッドは、下部トレーの右側の前方部分から後方に延在し、噛み合わせ用パッドの上面は、右側の下部トレーの後方部分の上部の冠状面よりも高い、右側の下部噛み合わせ用パッド
（ｃ）下端で、上部トレーの左側の下面に連結された左側の下部噛み合わせ用パッドであって、噛み合わせ用パッドは、上面、前面、後面、右側、及び左側を備え、噛み合わせ用パッドは、下部トレーの左側の前方部分から後方に延在し、噛み合わせ用パッドの上面は、左側の下部トレーの後方部分の上部の冠状面よりも高い、左側の下部噛み合わせ用パッド
（ｄ）下部トレーの右側の前方部分の外側の頬側面上の頬側に面する前方右側のアンカーと、下部トレーの左側の前方部分の外側の頬側面上の頬側に面する前方左側のアンカー
（ｅ）下部トレーの右側の後方部分の外側の頬側面上の頬側に面する後方右側のアンカーと、下部トレーの左側の後方部分の外側の頬側面上の頬側に面する後方左側のアンカー
【０００７】
上記の配置に伴い、右側のインサートの前面は、右側の下部噛み合わせ用パッドの後面に接触する係合面を形成し、左側のインサートの前面は、左側の下部噛み合わせ用パッドの後面に接触する係合面を形成する。このことは、上部トレーの下部トレーに対する前方への配置が制限され、したがって対象者による口腔内装置の使用時にいびき／無呼吸が緩和される。
【０００８】
本発明の別の特有の特徴は、対象者の歯科矯正の治療を可能とし、同時にいびき及び／又は無呼吸を治療することである。一実施形態において、上部トレーの受け部、及び下部トレーの受け部はそれぞれ、歯科矯正トレー、好ましくは一連の歯科矯正トレーを受け入れて保持するように構成される。別の実施形態において、上部トレーの受け部、及び下部トレーの受け部はそれぞれ、対象者による装置の着用時に、対象者の１又はそれ以上の歯を再配置し、及び／又は対象者の上顎及び／又は下顎の構成を変えるように構成される。
【０００９】
代替的な実施形態において、上部噛み合わせ用パッド、及び下部噛み合わせ用パッドの位置は逆になり得るので、下部噛み合わせ用パッドは、下部トレーの後方部分に配置され、インサートは、下部噛み合わせ用パッドの前端に取り付けられ得る。この場合、上部噛み合わせ用パッドは前方に配置され、インサートの前面は、上部噛み合わせ用パッドの後面と係合する。
【図面の簡単な説明】
【００１０】
【図１】図１は、弾性バンドを含む、本発明の口腔内装置の一実施形態の左側の上面斜視図である。
【図２】図２は、図１の装置の上部の平面図である。
【図３】図３は、図１の装置の上部の左側の底面斜視図である。
【図４】図４は、別の実施形態における装置の上部の左側の底面斜視図である。
【図５】図５は、図１の装置の下部の上面平面図である。
【図６】図６は、図１の装置の下部の右側の斜視図である。
【図７】図７は、図１の口腔内装置の一実施形態の左側の上面斜視図である。
【図８】図８は、本発明の口腔内装置の別の実施形態の左側の上面斜視図である。
【図９】図９は、弾性バンドを含む、図８の実施形態の左側の上面斜視図である。
【図１０】図１０は、本発明の口腔内装置とともに用いられるインサートの前上面及び前底面の斜視図である。
【図１１】図１１は、本発明の口腔内装置とともに用いられる３つのインサートの、前上面斜視図である。
【図１２】図１２は、図１１のインサートの平面図である。
【図１３】図１３は、図1の装置の上部の左側の底面斜視図であり、インサートの配置を示す。
【図１４】図１４は、歯科用トレーとともに用いるための本発明の装置の代替実施形態の分解された上面の左側斜視図である。
【発明を実施するための形態】
【００１１】
［定義］
本明細書で用いられるにあたり、以下の用語及びそれらの変形は、そのような用語が用いられる文脈によって異なる意味が明確に意図されない限り、以下に示す意味を有する。
【００１２】
「アンカー」は、装置の一部分に固定され、その部分を装置の別の部分に連結するよう補助する本発明の装置の構成要素をいう。
【００１３】
「前方」は、対象者の口の前部分（開口）の方向、対象者の口の前部分（開口）の方に向かう、又は対象者の口の前部分（開口）に隣接することを意味する。
【００１４】
「いびき」及び「睡眠時無呼吸」は、一般的に対象者の気道が塞がって生じる、睡眠中の呼吸の一時的な停止、及び／又は浅い又は頻繁でない呼吸の事象をいう（閉塞性睡眠時無呼吸と称する）。
【００１５】
「頬側」は、対象者の頬の方向、又は対象者の頬の方に向かうことを指す。対象者の歯に関して、頬側とは頬に面する歯の側を指す。
【００１６】
「冠状面」は、頭から足までの身体を通り、身体を前半分と後半分とに分ける仮定の平面をいう。
【００１７】
「冠状」は、歯の遠位端（つまり、そしゃく面が位置するところ）上の又は歯の遠位端の方に向かう位置又は方向を指す。従って、冠状面は歯のそしゃく面であり、後方の歯では一般的に咬合面と呼ばれ、前方の歯では切歯面と呼ばれる。「冠状面」は、本発明の装置をユーザが着用する時に一方の歯科用トレーに接触する他方の歯科用トレーの対応する面、つまり上部の歯科用トレーの下面、又は下部の歯科用トレーの上面にも関する。
【００１８】
「歯科用トレー」は、対象者の歯を受容する受け部を備える構造を指す。いくつかの実施形態において、受け部は、歯を受け入れるための開口、及び対象者の歯に直接接触する内面を有する。他の実施形態において、受け部は歯科矯正トレーを受け入れる。
【００１９】
「下方」及び「下方に」は、対象者の身体の下部の方向、又は対象者の身体の下部の方に向かうことを意味する。「上方」及び「上方に」は、反対方向、つまり対象者の身体の上部の方向、又は対象者の身体の上部の方に向かうことを意味する。
【００２０】
「細長い」は、幅より長い長さを有する構成又は形状を指す。
【００２１】
「前方へ」は、対象者の口の前方（前部）の方に向かう方向を意味する。
【００２２】
本発明の装置に対して「水平」とは、対象者の矢状面及び／又は冠状面にほぼ垂直な面、つまりそのような垂直面の１５度以内への配置を指す。
【００２３】
「唇側」は、対象者の唇の方向、対象者の唇の方に向かう、又は対象者の唇に隣接することを意味する。対象者の歯に関して、唇側とは唇に面する前の歯の側を指す。
【００２４】
「側面」は、対象者の矢状面から離れることを意味する。
【００２５】
「左」は、対象者から見て対象者の矢状面の左側を意味する。
【００２６】
「舌側」は、対象者の舌の方向、対象者の舌の方に向かう、又は対象者の舌に隣接することを意味する。対象者の歯に関して、舌側とは舌に面する歯の側を指す。
【００２７】
「下部」は、本発明の装置における構成要素の相対位置を指し、その構成要素が用いられる時に対象者の身体の下部の近く、又は対象者の身体の下部の方に向かっている。例えば、本発明の装置における上部トレーは、装置がユーザに着用されている時に、下部トレーより上（それより上方）に、つまり上部トレーが上顎歯列に嵌合し、下部トレーが下顎歯列に嵌合するように配置される。
【００２８】
「下顎の」は、下顎を指す。
【００２９】
「下顎歯列」は、下顎の歯を指す。
【００３０】
「上顎の」は、上顎を指す。
【００３１】
「上顎歯列」は、上顎の歯を指す。
【００３２】
「機械的に連結された」は、直接的な物理的接触に基づいた連結を通じて、又は別の機械的構造を介してのいずれかで物理的に連結されることを意味する。
【００３３】
「中間の」は、対象者の中央の矢状面の方に向かうことを意味する。
【００３４】
「歯科矯正」は、対象者の歯、及び／又は顎の位置の再配置を行う機能又は装置を指す。
【００３５】
「歯科矯正トレー」は、対象者の上部歯列、又は下部歯列を受け入れるための歯科用トレーを指す。歯科矯正トレーの内面は、対象者の歯を受け入れる大きさであるソケット又は凹みで、対象者の歯と直接接触する。
【００３６】
「柱」は、表面から突き出て、弾性バンド等の別の構成要素に対する接着点として作用する構成要素を指す。
【００３７】
「後方（ｐｏｓｔｅｒｉｏｒ）」及び「後方（ｒｅａｒｗａｒｄ）」は、対象者の口の後方の方向、対象者の口の後方の方に向かう、又は対象者の口の後方に隣接することを意味する。
【００３８】
「右」は、対象者から見て、対象者の矢状面の右側を意味する。
【００３９】
「矢状面」は、対象者の身体の上から下まで垂直に進み、対象者の身体を左部分と右部分とに分ける架空の平面を指す。
【００４０】
「対象者」は、本発明の装置のユーザであって、通常は人間のユーザを指す。
【００４１】
「熱可塑性」は、材料で、一般的にポリマー材料を指し、可逆の物理過程において、加熱により軟化し、冷却により硬化し得る。本発明の装置のいくつかの構成要素に用いられる熱可塑性材料は、１００°Ｆではその形状を保ち、好ましくは２１２°Ｆ以下で軟らかく（変形可能に）なる。
【００４２】
本明細書で用いられる「トレー」及び「歯科用トレー」は、本発明の装置の概ねＵ字状の部分を指し、状況次第で対象者の上顎又は下顎の歯を受け入れるための開口領域を備える。
【００４３】
「上部」は、本発明の装置における構成要素の相対位置であって、使用時に対象者の身体の上部の近く、又は対象者の身体の上部の方に向かっている相対位置を指す。
【００４４】
本発明の装置に対して「垂直」とは、対象者の矢状面及び／又は冠状面にほぼ平行な面、つまりそのような平行面の１５度以内への配置を指す。好ましくは、垂直は対象者の頭又は脚の方に向かう、又は対象者の頭又は脚から離れる方向を指す。
【００４５】
「備える（ｃｏｍｐｒｉｓｅ）」の用語、及び「備える（ｃｏｍｐｒｉｓｉｎｇ）」、「備える（ｃｏｍｐｒｉｓｅｓ）」等のその用語の変形は、他の付加物、構成要素、整数、又は工程を除外することを意図していない。本明細書で用いられる、「ａ」、「ａｎ」、及び「ｔｈｅ」の用語、及び類似の指示語は、文脈においてそれらの使用が特定されない限りは、単数及び複数の両方を含むと解釈されるべきである。左や右といった相対語について、その用語は、他の向きが示されない場合、本発明の装置がユーザによって着用される時に、装置のユーザの視点からと解釈されるべきである。
【００４６】
［口腔内装置］
本発明の装置１０は、一般的には一対の歯科用トレー１５、上部トレー１００、及び下部トレー２００を備え、それらは睡眠時無呼吸を回避するように、協働して対象者の顎を位置づける。上部トレー１００は対象者の上顎歯列に嵌合し、一方で下部トレー２００は対象者の下顎歯列に嵌合する。本発明の装置のトレー部分１５は、内面２１、外面２３、右側１２、左側１４、前方部分１６、及び後方部分１８を有し、トレー部分１５のそれぞれが、対象者の歯列に適合するようトレー１５の一方の水平側に形成された、概ねＵ字型の歯受容受け部２０を備える。
【００４７】
一実施形態において、受け部２０は、対象者の歯を受け入れ、トレー１５の内面２１上で歯と接触するように構成される。受け部２０は、側面の切れ目のない壁であって、その壁は対象者の歯の一部又は全部の頬側及び口唇側の一部又は全部を覆うように、対象者の歯の冠状面に面する底面から、それぞれ上顎又は下顎に向けて延在する、つまり頬側壁２２及び唇側壁２４を備える。以下で更に説明するように、トレー１５は、対象者の既存の歯列に一致するように形成することができ、又は好ましい実施形態において、トレー１５は、既存の歯列及び／又は対象者の上顎及び／又は下顎の形状の変更を実現するように形成され得る。
【００４８】
トレー１５の外側部分は、受け部２０と反対のトレーの水平側、つまりトレー１５の外面２３に形成された冠状面３０を備える。各トレー１５は、トレー１５のそれぞれの側面に配置された一対の噛み合わせ用パッド３５であって、下部噛み合わせ用パッド４０又は上部噛み合わせ用パッド５０のいずれかを更に備える。下部噛み合わせ用パッド４０又は上部噛み合わせ用パッド５０は、各トレー１５と一体形成されてもよいし、各トレー１５に結合されてもよい。図示した実施形態において、噛み合わせ用パッド３５は、無呼吸の治療を補助すべく上顎と下顎とを離し、更に、上部トレー１００の上部切端面１０１と、下部トレー２００の下部切端面２０１との間に開口５を設けて空気が対象者の口を通るようにする。このように上顎及び下顎を離すことで対象者の口を若干空けた位置で維持することは、無呼吸を治療することも補助する。しかしながら、他の実施形態では、上部切端面１０１と下部切端面２０１は互いに接触してもよい。
【００４９】
図示した実施形態において、それぞれの下部噛み合わせ用パッド４０は、下部トレー２００の冠状面３０に対して遠位に、つまり対象者が本発明の装置１０を着用した時に上側に延在する突出部を備える。下部噛み合わせ用パッド４０は、下部トレー２００のそれぞれの側１２、１４の前方部分１６、図示した実施形態におけるトレー２００の下部冠状面３０の前方に位置するが、（上部噛み合わせ用パッド５０が前方に位置する）他の実施形態においては、下部噛み合わせ用パッド４０は、比較的後ろの位置に位置してもよい。下部噛み合わせ用パッド４０は、上部トレー１００の前方部分の対応する冠状面３０と接触するための、概ね水平の冠状面４２を備える。下部噛み合わせ用パッド４０は、噛み合わせ用パッド４０の後方部分において後向きの係合面４４を更に備え、これは冠状面４２から下部トレー２００の外面２３の冠状面３０に下方に延在する。
【００５０】
上部トレー１００は同様に、それぞれが上部トレー１００の外面２３から下方に延在する一対の上部噛み合わせ用パッド５０を備える。上部噛み合わせ用パッド５０は、下部トレー２００の後方部分の対応する冠状面３０と接触するための、概して水平の冠状面５２と、上部噛み合わせ用パッド５０の前方部分の前向きの接触面又は連結端５４とを備える。それぞれの上部噛み合わせ用パッド５０は、上部トレー１００の冠状面３０から遠位に、つまり対象者が本発明の装置１０を着用した時に下方に延在し、下部トレー２００の後方部分の対応する冠状面に接触するための概ね水平の冠状面５２を含む、突出部を備える。本発明の装置１０は、好ましくは、ユーザによる着用時に、上部噛み合わせ用パッド５０の冠状面５２が下部トレー２００の後方部分の外側の冠状面３０と接触し、同時に下部噛み合わせ用パッド４０の冠状面４２が上部トレー１００の前方部分の冠状面３０と接触するように構成される。
【００５１】
本発明の口腔内装置１０の独特の構成は、アキシャルインサート３００の使用である。インサート３００は、トレー１５の一方に取り付け、本発明の装置１０の他方のトレー１５の噛み合わせ用パッド３５と係合するように構成される。図示した実施形態において、インサート３００は、上部トレー１００に取り付けられ、下部トレーの下部噛み合わせ用パッド４０と係合する。噛み合わせ用パッド３５及びインサート３００は、協働して、本発明の装置１０のユーザの上顎及び下顎の相対的な前方―後方位置を限定及び規定する。図１０から１２に好例を示すように、それぞれのインサート３００は、係合面３０２と、右側面３０４と、左側面３０６と、係合面３０２の反対側に取り付け端３１０とを備える。インサート３００は、冠状面（上部トレー１００に取り付けられる場合は下面）３３０と、冠状面３３０の反対側のトレー接触面（上面）３３２とを更に備える。インサート３００の取り付け端３１０が上部トレーの連結端５４と係合する場合、インサート３００のトレー接触面は上部トレー１００の冠状面３０に接し、インサート３００の冠状面３３０は外側に（下側に）向く。冠状面３３０は、好ましくは上部噛み合わせ用パッド５０の冠状面５２と平行であって、より好ましくは、同一の面に構成される。
【００５２】
上部トレー１００にインサート３００を保持すべく、取り付け端３１０及び連結端５４には、好ましくは相互に嵌る締め要素が設けられる。図示した実施形態において、インサート３００の取り付け端３１０は、上部トレー１００の連結端５４とさねはぎ式に係合し、すなわち横方向に広がるくさび３１２が連結端５４に形成された凹部５６に嵌るようにする。当業者に明らかであるように、インサート３００には代替的に溝を設け、連結端５４に前方に突出する「舌部」が構成されてもよく、又は対応する円形の穴に嵌るように適合された円形の球体等の異なる構成の突出部を用いてもよい。インサート３００を上部トレー１００に機械的に取り付けるのに他の構成を用いてもよい。一代替例において、インサート３００は、上部噛み合わせ用パッド１００に拡張ネジで取り付けられ、それによりインサート３００の長さを所望の場合更に調節することを可能にしてもよい。 インサート３００は、下部噛み合わせ用パッド４０等、下部トレー２００に代替的に取り付けられ得ることも、当業者に明らかであろう。図示した実施形態において、くさび３１２の側３１１、３１３、及び３１５は、本発明の装置１０においてインサートをしっかりと保持すべく、好ましくは溝又は凹部５６と締り嵌めを形成する。好ましい実施形態において、インサート３００及び／又は上部噛み合わせ用パッド５０は弾性材料から形成され、取り付け端３１０の舌部は、凹部５６よりも若干大きい寸法で形成され、したがって舌部が凹部５６内に付勢されると、凹部５６内に保持するのを補助する外向きの力が加わる。
【００５３】
上部トレー１００に取り付けられると、インサート３００の前向きの係合面３０２は、本発明の装置１０がユーザに着用された時に、下部噛み合わせ用パッド４０の後向きの係合面４４と接触するように配置される。例えば図１に示されるように、インサートの係合面３０２が下部噛み合わせ用パッドの係合面４４に接触すると、上顎に対してユーザの下顎の後方への動きが制限され、それによって睡眠時無呼吸を緩和する。
【００５４】
インサートの係合面（前面）３０２及び下部噛み合わせ用パッドの係合面（後面）４４は、上顎の係合面の発達を果たすべく互いに作用する、好ましくは角度のついた対向面である。図示した実施形態に示されるように、下部噛み合わせ用パッド４０の後面（係合面）４４及びインサートの前面（係合面）３０２の両方に角度がつけられており、トレー１５が縦に閉じる時に、カミング作用により下顎を前進させるよう補助する。係合面４４は、好ましくは上方及び前方に傾斜した非垂直の角度に配置される。この係合面４４は、不規則、非平坦、弓状、凹状又は凸状の表面、若しくは上記のスライド係合を実現する他の表面構造を採用することができる。インサートの係合面３０２と下部噛み合わせ用パッドの係合面４４との間は垂直の境界面としてもよい。
【００５５】
本発明の装置１０の装着時に、ユーザの上顎及び下顎の相対位置を調節可能とすべく、異なる長さの複数のインサート３００を用いることができる。図８に示されるように、異なるインサートの係合面３０２が、ユーザの必要に応じて前方又は後方に更に延在するように、インサート３００は長さの異なる側面３０４、３０６で形成してもよい。図１１及び１２において、３２１、３２２、３２３と付されたインサートは、長さを増大させた側面３０４及び３０６を備える。その結果、ユーザの上顎は、より長いインサートの使用を通じて、つまりより長い側面３０４、３０６で比較的前方に配置され、より短い側面のインサートの使用を通じて比較的後方に配置され得る。例えば１ｍｍ単位、０．５ｍｍ単位、又は０．２５ｍｍ単位で異なる側面を有する１組のインサートを、本発明の装置１０での使用に提供することができる。このため、インサート３００の上部トレー１００への取り付けは機械的な連結を介すると取り付けが可逆となるとともに、必要に応じて変更可能となる。しかしながら、化学的手段（例えば、接着）等の他の係合手段も利用可能である。
【００５６】
上部トレー１００を下部トレー２００に対して一定の位置に維持すべく、上部装置トレー１００及び下部装置トレー２００は、アンカー６０を介して機械的に連結される。特に、上部トレー１００の左側部分のアンカー１６２は、下部トレー２００の左側部分のアンカー２６２に機械的に連結され、上部トレー１００の右側部分のアンカー１６２は、下部トレー２００の右側部分のアンカー２６２に機械的に連結される。アンカーは、例えば、ボタン６２、フック６４、Ｈｅｒｂｓｔネジであり得、歯科矯正ゴムバンド、伸縮自在シム、及び／又はプラスチックコネクタ等の適切なコネクタにより機械的に連結され得る。
【００５７】
図示した実施形態に示されるように、トレー１００、２００が特定の対象物に嵌ると、弾性バンド４００が、図１及び９に示されるように、頬側ボタン６２に配置される。頬側ボタン６２は、上部トレー１００及び下部トレー２００それぞれの外面２３から頬側に延在するポスト又は突出部である。図５に見られるように、それらは、頬側ボタン６２上の弾性バンド４００を良好に固定すべく、弾性バンド４００を固定可能な横に延在する部分１５２と、頬側ボタン６２の遠位端で横に延在する部分１５２の軸から離れて延在する円周「ボタン」部分１５４とを備える。
【００５８】
図示した実施形態において、前方―後方の（対角線）弾性バンド４２０は、上部前方のアンカー１６２と下部の比較的後方のアンカー２６４との間に、上部トレー１００の前方から下部トレー２００の後方に延在する。この弾性から生じる力が、下顎を上顎に対して前方へと促す。第２の垂直に延在する弾性材４４０は、上部前方アンカー１６２と下部前方アンカー２６２との間に、一般的には両方のトレー５０上の第一小臼歯の領域の間に、概ね垂直の構成で延在する。垂直に延在する弾性材４４０は、睡眠中に「閉口」の状態をもたらす。この弾性バンドの組み合わせにより、本発明の装置１０により決定される位置に下顎が穏やかに保持され、また、下顎が開いて後退するのを防ぐことにより、鼻呼吸が促進される。
【００５９】
本発明の装置１０は、様々な経口適合材料、典型的にポリマーから形成され得る。一実施形態において、アクリルを用いて本発明の装置を形成してもよい。熱可塑性ポリマーが典型的に本発明の装置に用いられるが、熱硬化性、熱可塑性エラストマー、他の材料も用いることができる。用いられる熱可塑性材料は、対象者の使用時にその形を保持可能なものでなければならず、従って少なくとも約１００°Ｆで、好ましくは、１１０°Ｆ、１２０°Ｆ以上といった、若干高い温度でも固体のままであることが好ましい。本発明のトレーを形成するのに熱可塑性材料を用いる場合、それらは好ましくは２１２°Ｆ以下の温度で変形可能となり、熱湯につけることによって可塑性となる。好ましくは、材料は１２０°Ｆ以下、好ましくは１４５°Ｆ以下で変形可能とならない。
【００６０】
［口腔内トレー］
一実施形態において、トレー１５は、対象者により用いられる一連の口腔内歯科トレーとして形成され得る。本実施形態において、異なって構成された受け部２０を有するトレー１５は、個々の歯を連続工程で再配置し、及び／又は対象者の上顎及び／又は下顎の構成を変更するために、時間をかけて対象者に適用される。このような多くの歯科用トレー１５を連続使用すると、各装置が個々の歯を小さい単位で、典型的には２ｍｍ以下、好ましくは１ｍｍ以下、より好ましくは０．５ｍｍ以下（単一の装置を用いた結果、歯の任意の地点の最大線形平行移動を指す）移動させるように構成することが可能になる。歯科矯正トレーが本発明で用いられる場合に、本発明の装置１０のインサート３００の使用は多大な利点をもたらす。それは、ユーザの上顎及び下顎の最適な相対位置が、所望の長さを有するインサートを用いて設けられ、それによってユーザの睡眠時無呼吸に対処し、同時に歯科矯正を可能とするからである。
【００６１】
歯科用トレー１５において歯を受容する受け部２０は、通常、対象者専用の中間又は端の歯列に対応する形状を有する。対象者がこのようなトレー１５を最初に装着する時に、ある程度の歯は、トレー１５の受け部２０の未変形の形状に対してずれることになる。本実施形態において、トレー１５は、ずれのある歯を収容又は適合するのに十分に弾力のある材料から形成されるが、中間又は端の配置に歯を再配置すべく、そのようなずれのある歯に対して治療の段階で求められる十分な弾性力をかけるだろう。必須ではないが、装置は、好ましくは上顎又は下顎に存在する全ての歯に嵌ることとなる。場合によって、一部の歯のみが再配置されるが、一方で再配置される歯又は複数の歯に対して弾性の再配置の力をかけるため、再配置の装置を所定の位置に保つためのベース又はアンカー領域が設けられる。
【００６２】
対象者の口に一連のインクリメンタル位置調節装置を配置することにより、対象者の歯は、当初の歯列から最終的な歯列へと再配置される。一連のうちの最初のトレー装置は、当初の歯列から第１の中間の歯列まで歯を再配置するよう選択された形状を有することになる。第１の中間の歯列に近くなるか達成されたら、１またはそれ以上の更なる（中間の）装置が歯に連続的に配置され、これらの更なる装置は、第１の中間の歯列から連続的な中間の歯列を通して歯を徐々に再配置するよう選択された形状を有する。最後の装置を対象者の歯に配置することにより治療は終了し、この最後の装置は、最後の中間の歯列から最後の歯列まで徐々に歯を再配置するように選択された形状を有する。
【００６３】
特定の対象者の歯を再配置する一連の歯科用トレー１５を設計するために、当初の歯列と最終的な歯列を表すデジタルデータセットを特定する。当初の歯列を表す最初のデータは、視覚像として表すことができ、個々の歯を再配置するのに操作される。それから、再配置された歯を有する最終的な歯列を表す最後のデジタルデータセットが作成される。最初のデジタルデータセットは、従来技術により提供することができ、それにはＸ線画像のデジタル化、コンピュータ援用断層写真（ＣＡＴスキャン）による作成画像、磁気共鳴画像法（ＭＲＩ）による作成画像、及び／又は対象者の歯の三次元デジタル表示を作成するための当業者に周知の他の方法が含まれる。代替的には、最初のデジタルデータセットは、例えば、従来技術により（治療の前に）対象者の歯の石膏模型を作成することにより提供され、その後にこの石膏模型をレーザ又は他のスキャン技術機器を用いてスキャンして、対象者の歯の石膏模型の高解像度デジタル表示を作成するようにしてもよい。
【００６４】
最初と最後のデータセットが決定されると、対象者の歯に関して中間の歯の位置を表す一連の中間のデータセットが決定される。連続的な中間のデジタルデータセットは、好ましくは最初のデータセット及び最後のデータセットにおける選択された個々の歯の位置の相違を決定し、その相違を補間することにより作成される。そのような補間は、少なくとも３つの別々の段階にわたって行われ、３つの異なる歯科用トレーに実装され得るが、より頻繁には少なくとも１０、時折少なくとも２５、稀に４０以上の異なる歯科用トレーに実装され得る。補間は、位置の相違の一部又は全部に対して直線の補間であってもよい、代替的には非直線であってもよい。位置の相違は、歯の任意の地点の最大直線移動が、好ましくは２ｍｍ以下、通常１ｍｍ以下、及び好ましくは０．５ｍｍ以下である歯の移動に対応する。
【００６５】
中間及び最後のデータセットが決定されると、例えば高速原型装置又はデジタルプリンターを用いて、装置を作成することができる。好ましくは、装置はポリマーでなり、Ｔｒｕ−Ｔａｉｎ０．０３インチの熱形成歯科用材料（Ｔｒｕ−Ｔａｉｎ  Ｐｌａｓｔｉｃｓ，Ｒｏｃｈｅｓｔｅｒ，Ｍｉｎｎ．５５９０２）等の適切なエラストマーの高分子の薄いシートから形成される。歯科用トレー装置の各々に対応して１つの構造体が製造される。
【００６６】
上述の歯科用トレー装置及び口腔内治療におけるそれらの使用は、米国特許第５９７５８９３号、及びＡｌｉｇｎ  Ｔｅｃｈｎｏｌｏｇｙ，Ｉｎｃ．に譲渡された米国特許第６２１５６２号、第６２１７３２５号、第６３９８５４８号、第６６２６６６６号、第６６２９８４０号、第６６９９０３７号、第７１３４８７４号、第７４７４３０７号、第８１０５０８０号、及び第８５６２３４０号を含む他の特許に記載されている。
【００６７】
連続的な口腔内治療の後のように、歯又は顎の再配置が必要でない又は望まれていない実施形態において、上部及び下部の歯科用トレー１５は、この分野の周知の方法で形成することができる。例えば、本発明の装置が熱可塑性のポリマーから形成される場合、上部の歯科用トレー１００及び下部の歯科用トレー２００は、最初に対象者の口への適合を評価した後、好ましくは、数秒から１分間にほぼ沸騰したお湯に装置をつけて装置を柔らかくする。軟らかくなった装置は、それから対象者の上部及び下部の歯と整列するよう対象者の口に入れられ、対象者は、軟らかくなった材料に歯の跡をつけるべく、軟らかくなった材料を噛むよう指示される。トレーの材料はそれから、約１分間口の中で冷却した後、装置を好ましくは冷水に更に１分間浸す。本発明の装置のトレーにおいて、他の方法及び他の材料を用いてカスタマイズされた歯の跡を形成することは、周知の方法を用いて当業者により実現され得る。
【００６８】
別の実施形態において、図１４に示されるように、本発明のトレー１５は、典型的にはポリマー材料から形成される、１組の別々に形成された口腔内トレー４００との組み合わせで用いられるよう設計され得る。図１４に示されるように、そのような口腔内トレー４００のそれぞれは、通常、上部口腔内トレー４０２、下部口腔内トレー４０４、対象者の歯の少なくともいくつかと接触する内面４０３、外面４０５、前方部分４１６、後方部分４１８、右側４１２、及び左側４１４を備える。本実施形態において、本発明の装置１０の受け部２０は、一般的に口腔内トレー４００の外面４０５と接触することにより、口腔内トレー４００を収容し、可逆に保持する大きさである。このようにして、対象者は、口腔内トレー４００を日中使用し、それから睡眠時無呼吸から楽になるべく、本発明の装置１０と組み合わせて夜間も使用し続けることができる。
【００６９】
本発明は特定の好ましい実施形態を参照にかなり詳細に記載されているが、他の実施形態も実現可能である。例えば、本発明の方法に関して開示される工程は、限定することを意図せず、またそれぞれの工程が必ずしもその方法に不可欠なものであると示すことも意図せず、むしろ例示的な工程に過ぎない。従って、添付の特許請求の範囲は、本開示に含まれる好ましい実施形態の記載に限定されるべきではない。
【００７０】
本明細書における数値範囲の記載は、その範囲に入るそれぞれ別個の値を個々に参照するための簡潔な方法の機能を果たすことを単に意図している。本明細書において特段記載されない限り、それぞれの個々の値は、それが個々に本明細書に記載されているかのごとく本明細書に組み込まれる。本明細書において引用される全ての文献は、その全体において参照として組み込まれる。
【図１】
0006774959.tif 000002
【図２】
0006774959.tif 000003
【図３】
0006774959.tif 000004
【図４】
0006774959.tif 000005
【図５】
0006774959.tif 000006
【図６】
0006774959.tif 000007
【図７】
0006774959.tif 000008
【図８】
0006774959.tif 000009
【図９】
0006774959.tif 000010
【図１０】
0006774959.tif 000011
【図１１】
0006774959.tif 000012
【図１２】
0006774959.tif 000013
【図１３】
0006774959.tif 000014
【図１４】
0006774959.tif 000015